(57)【特許請求の範囲】
【請求項１】
床側に設置されるシステムキッチンのフロアユニットであって、
少なくとも一方の端部から入射された光源からの光を長手方向に沿って伝送するとともに、その伝送する光を外周面から漏光させて発光する側面発光型の発光ファイバーからなる断面円形状とされた導光体を、当該フロアユニットにおける前面側、上面側の少なくともいずれか一方にて露出する表面部位の一部に横幅方向に沿って設けられた断面略Ｕ字状の凹溝に嵌め込まれた断面略Ｕ字状のレールの内側に沿わせるように収容してライン状に敷設し、かつ、前記凹溝の開放側を、前記表面部位と略面一となる透光性カバーによってカバーしており、
前記導光体は、前記表面部位の一部に敷設された状態におけるその表面側の周面からのみ漏光する構成とされており、
前記透光性カバーは、前記導光体に近接して設けられていることを特徴とするフロアユニット。
【請求項２】
請求項１において、
前記導光体は、キッチンカウンターの後方端部に横幅方向に沿って立設されたバックガードの前面部に敷設されていることを特徴とするフロアユニット。
【請求項３】
請求項１または２において、
前記導光体は、キッチンカウンターの手前側端部に横幅方向に沿って垂設された前垂れ部の前面部に敷設されていることを特徴とするフロアユニット。
【請求項４】
請求項１乃至３のいずれか１項において、
前記導光体は、台輪の前面部に敷設されていることを特徴とするフロアユニット。
【請求項５】
請求項１乃至４のいずれか１項において、
前記光源は、当該フロアユニットの内部空間に設けられていることを特徴とするフロアユニット。
【請求項６】
請求項１乃至５のいずれか１項において、
周囲の照度を検知する照度検知センサと、人の在、不在を検知する人体検知センサとを更に備えており、
前記照度検知センサが検知した周囲の照度が所定値より以下で、かつ、前記人体検知センサが人の在を検知したときには、前記光源を点灯させ、前記導光体を発光させることを特徴とするフロアユニット。
【発明の詳細な説明】
【技術分野】
【０００１】
本発明は、床側に設置されるシステムキッチンのフロアユニットの照明に関する。
【背景技術】
【０００２】
従来、システムキッチンのフロアユニットの照明としては、キッチンルームの天井に設けられた室内照明や、フロアユニットの上方に設置されたウォールユニット（吊戸棚）や壁面などに配設された流し元灯などの照明がある。
これらの照明は、蛍光灯や白熱電球等からなり、主にはキッチンで使用者が調理する際に手元や食材を照明するためのもので、その目的からも比較的、ある程度の明るさ（照度）を有するものである。
しかしながら、調理作業時に使用者は、フロアユニットのキッチンカウンターの横幅方向（長手方向）に沿って、シンクや作業スペース、コンロ等を移動しながら調理を行うため、キッチンルームの天井の照明やウォールユニットなどに配設された流し元灯のみでは十分に手元を照明することが困難であった。
【０００３】
例えば、下記特許文献１では、前記のような問題を解決すべく、フロアユニットのキッチンカウンターに照明を設けたキッチンカウンターの照明装置が提案されている。
上記照明装置は、長尺の蛍光灯からなり、キッチンカウンターの後端部を立ち上げて一体的に形成したバックガードに長手方向に沿って設けられている。
このような照明装置によれば、バックガードの長手方向に沿って取付けられるため、長手方向全体に照明でき、キッチンカウンターを明るく照らすことができる、と説明されている。
【０００４】
また、下記特許文献２では、ワークトップ（キッチンカウンター）の後端部のバックガードの上方に透光材よりなる蓋体を設け、この蓋体の下方に上方をすくなくとも照射する照明装置を設けた厨房装置（フロアユニット）が提案されている。
この厨房装置によれば、簡単な構成でワークトップが明るくなり、台所作業が快適に行える、と説明されている。
【特許文献１】特開２００７−３０８号公報
【特許文献２】特許３０８９６５２号
【発明の開示】
【発明が解決しようとする課題】
【０００５】
しかしながら、前記各特許文献に記載のものでは、それぞれキッチンカウンターの長手方向に沿って照明装置が設けられているので、キッチンカウンターを長手方向の全体に亙って照明できるものであるが、長尺の蛍光灯などを使用しているため、照明装置の交換等の際に、取り扱いが不便であり、メンテナンス性の向上が望まれていた。また、このような蛍光灯では、そのもの自身の径が比較的大きく、また、点灯した際に発熱するためカバーなどを離間させて配置する必要があることから、カバー自体も大きくならざるを得ず、照明装置を設置するための設置スペースの省スペース化が望まれていた。
【０００６】
本発明は、上記実情に鑑みなされたものであり、メンテナンスが良好で、発光部自体の設置スペースの省スペース化を可能とする照明手段を備えたシステムキッチンのフロアユニットを提供することを目的としている。
【課題を解決するための手段】
【０００７】
前記目的を達成するために、本発明に係るフロアユニットは、床側に設置されるシステムキッチンのフロアユニットであって、少なくとも一方の端部から入射された光源からの光を長手方向に沿って伝送するとともに、その伝送する光を外周面から漏光させて発光する側面発光型の発光ファイバーからなる断面円形状とされた導光体を、当該フロアユニットにおける前面側、上面側の少なくともいずれか一方にて露出する表面部位の一部に横幅方向に沿って設けられた断面略Ｕ字状の凹溝に嵌め込まれた断面略Ｕ字状のレールの内側に沿わせるように収容してライン状に敷設し、かつ、前記凹溝の開放側を、前記表面部位と略面一となる透光性カバーによってカバーしており、前記導光体は、前記表面部位の一部に敷設された状態におけるその表面側の周面からのみ漏光する構成とされており、前記透光性カバーは、前記導光体に近接して設けられていることを特徴とする。
【０００８】
本発明の前記フロアユニットにおいては、前記側面発光型の導光体を、フロアユニットの種々の箇所に敷設可能である。
例えば、前記導光体を、キッチンカウンターの後方端部に横幅方向に沿って立設されたバックガードの前面部に敷設するようにしてもよい。
また、前記導光体を、キッチンカウンターの手前側端部に横幅方向に沿って垂設された前垂れ部の前面部に敷設するようにしてもよい。
また、前記導光体を、台輪の前面部に敷設するようにしてもよい。
上記した導光体の敷設箇所は、一例であり、また、上記複数の敷設箇所を組み合わせて複数箇所に敷設するようにしてもよい。
【０００９】
また、本発明の前記フロアユニットにおいては、前記光源を、当該フロアユニットの内部空間に設けるようにしてもよい。
さらに、本発明の前記フロアユニットにおいては、周囲の照度を検知する照度検知センサと、人の在、不在を検知する人体検知センサとを更に備えた構成とし、前記照度検知センサが検知した周囲の照度が所定値より以下で、かつ、前記人体検知センサが人の在を検知したときに、前記光源を点灯させて前記導光体を発光させるようにしてもよい。
【発明の効果】
【００１０】
本発明に係る前記フロアユニットによれば、当該フロアユニットにおける前面側、上面側の少なくともいずれか一方にて露出する表面部位の一部に、横幅方向に沿ってライン状に導光体を敷設しているので、フロアユニットの横幅方向に沿って照明することができる。
また、その敷設される照明を、少なくとも一方の端部から入射された光源からの光を長手方向に沿って伝送するとともに、その伝送する光を外周面から漏光させて発光する側面発光型の導光体としているので、横幅方向に沿って敷設される導光体自体のメンテナンスは、殆ど必要とならず、光源を交換等すれば良いため、前記各特許文献に記載のような長尺の蛍光灯等に比べて取り扱いが容易であり、メンテナンス性が向上する。
さらに、前記のような導光体は、小径とでき、また、そのもの自身の発熱量が、前記した蛍光灯や白熱球等と比べて小さいので、カバー等を設ける際にも導光体に近接して設けることができ、発光部となる導光体の設置スペースを小さくできる。よって、省スペース化が図れる。
さらにまた、このような側面発光型の導光体は、特に、耐水性に優れているので、水廻りにも設置でき、よって、前記したようにフロアユニットの種々の箇所に敷設することができる。
【００１１】
また、このような側面発光型の導光体は、光源からの光を伝送しながら側面から漏光させることで発光するので、キッチンの使用時に手元を照らす主照明（キッチンルームの室内灯や、ウォールユニット、壁などに付設された流し元灯など）に比べて、照度が低く、フロアユニットの存在を認識させる程度の照度が低い照明となる。これにより、例えば、夜間の就寝中、途中で目覚めて、キッチンを一時的に利用するような際には、主照明を点灯させずに、補助照明として前記導光体を使用でき、目に強い刺激を与えることがない。すなわち、従来のキッチンルームの天井に設けられた照明や、ウォールユニットや壁などに配設された流し元灯、前記各特許文献等に記載の照明を点灯させると、そもそも手元を照明するためのものであるため、その明るさによって目が冴えてしまい、再度就寝する際に眠気が殺がれ、寝付けなくなる場合があるが、本発明によれば、導光体からの光は、上記のように比較的照度が低いので、目に強い刺激を与えることなく、キッチンを利用後も寝付きやすくなり、再度の就寝を妨害するようなことも防止できる。
【００１２】
また、本発明において、前記導光体を、敷設された状態で前面側の周面からのみ漏光する構成とすれば、導光体の敷設される側、すなわち背面側の周面から漏光することがないので、前記のように少なくとも一方の端部から入射された光を効率良く長手方向に沿って伝送できるとともに、前面側からの漏光による発光を効率良く行える。これにより外周面の全周から漏光させて発光するものと比べて、光源を低出力のものとしても前面側の周面から十分に発光するので、省電力化が図れる。
【００１３】
また、本発明において、前記光源を、当該フロアユニットの内部空間に設けるようにすれば、光源を外部に設置する場合と比べて、すっきりとしたフロアユニットとなり、デザイン性に優れたものとなる。すなわち、フロアユニット内に設置された光源から光を伝送して、上記導光体を発光させることができるので、従来のような蛍光灯や白熱球等と比べて、上記のように発光部自体の設置スペースを小さくできる。
【００１４】
また、本発明において、周囲の照度を検知する照度検知センサと、人の在、不在を検知する人体検知センサとを更に備えた構成とし、前記照度検知センサが検知した周囲の照度が所定値より以下で、かつ、前記人体検知センサが人の在を検知したときに、前記光源を点灯させて前記導光体を発光させるようにすれば、例えば、キッチンルームが暗い場合や夜間等にキッチンを利用する際に、使用者がフロアユニットに近づくと、自動で導光体が発光するので、スイッチ等を手探りで探す必要が無く、快適に使用できるものとなる。
【発明を実施するための最良の形態】
【００１５】
以下に本発明の最良の実施の形態について、図面に基づいて説明する。
図１は、第１実施形態に係るフロアユニットを示す概略正面図、図２は、図１におけるＸ−Ｘ線矢視概略断面図、図３（ａ）は、図１におけるＹ−Ｙ線矢視概略拡大断面図、図３（ｂ）は、同実施形態に係るフロアユニットが備える照明手段を模式的に示す概略斜視図、図４は、同実施形態に係るフロアユニットの内部構成を示す要部ブロック図である。
尚、以下の各実施形態において指す前後方向は、キッチンカウンターに対し使用者が対面した状態における手前側を前、奥側を後とし、その前後方向に直交する方向を横幅方向（左右方向）として説明する。
【００１６】
図例のフロアユニット１は、いわゆるシステムキッチンにおいて床側に設置されるもので、大略的に、キッチンカウンター１０と、その下方に配置されてキッチンカウンター１０を上方に載置する複数のキャビネットからなるフロアキャビネット２０と、後記する照明手段３０と、各部を制御する制御ユニット４０と、下端部に設けられた台輪２１とを備えている。
【００１７】
フロアキャビネット２０は、シンク１３及び水栓金具１４が上方に配されたシンクキャビネット２２と、その左右に配置された収納キャビネット２３，２３と、図１における紙面最左方に配され、コンロ１５を上方に配し、上段にグリルを配した調理器キャビネット２４とを備えている。
上記キャビネットのうち図１における紙面最右方に位置する収納キャビネット２３は、図２に示すように、側板２３ａ，２３ａ（一方の側板は、紙面手前側に位置し、不図示）と、これら側板２３ａ，２３ａ間に設けられた天板２３ｂ、底板２３ｃ及び背板２３ｄとで前方に向けて開口する方形箱体を形成し、この方形箱体に、上、中、下の３段からなる引出し２３ｅを出し入れ自在に備えた構成とされている。
底板２３ｃには、後記する光源装置３１のメンテナンスを行う際に開閉されるメンテナンス用扉２３ｇが設けられている。
これら引出し２３ｅの外側面には、側板２３ａに設けられた引出し用レール２３ｆに係合するスライド溝あるいは突条のスライドガイド等が形成されている。
【００１８】
また、この収納キャビネット２３内には、後記する照明手段３０Ａを構成する光源装置３１Ａが背板２３ｄの内面に固定されて設けられ、天板２３ｂの右側後方（図１における紙面右方かつ後方側）の適所には、後記する発光ファイバー３２Ａが挿通される孔２３ｂｃが開設されている。
尚、シンクキャビネット２２及び調理器キャビネット２４の内部構成については、それらの上段部位に、引出し及び光源装置３１Ａを設けず、シンク１３やコンロ１５等を設けた構成とし、他の構成は概略的に同様であるため説明を省略する。また、シンクキャビネット２２と調理器キャビネット２４との間に配置された収納キャビネット２３については、上記した最右方に配置された収納キャビネット２３内に設けられた光源装置３１Ａ等を備えておらず、他の構成は同様である。
【００１９】
キッチンカウンター１０は、上記したフロアキャビネット２０に載置され、上記したシンク１３、コンロ１５の形状に合わせて開口が形成されている。
また、その後方端部には、横幅方向に沿って全体に亙ってバックガード１１が立設され、手前側端部には、横幅方向に沿って全体に亙って前垂れ部１２が垂設されている。
バックガード１１の前面部１１ａには、後記する発光ファイバー３２Ａを横幅方向に沿ってライン状に敷設するための断面視略Ｕ字状の凹溝１１ｂが横幅方向に沿って凹設されている（図３（ａ）参照）。この凹溝１１ｂは、本実施形態では、コンロ１５を上方に配した調理器キャビネット２４の上方に位置するバックガード１１以外の部位に横幅方向に沿って凹設されており、換言すれば、シンクキャビネット２２の上方に位置するバックガード１１の部位を少なくとも含んで、その左右に配置された収納キャビネット２３，２３の上方に位置するバックガード１１に亙って、横幅方向に沿って凹設されている。このように、コンロ１５の近傍に、発光ファイバー３２Ａを敷設しないようにすることで、発光ファイバー３２Ａがコンロ１５からの熱を受けて損傷するようなことを防止できる。
また、キッチンカウンター１０の右側後方（図１における紙面右方かつ後方側）の前記天板２３ｂに開設された孔２３ｂｃと整合する位置には、前記凹溝１１ｂと連通し、後記する発光ファイバー３２Ａが挿通される孔１０ｃが開設されている。
【００２０】
台輪２１は、上記したフロアキャビネット２０を床面上に支持し、上方に開口する矩形状の枠部材とされ、その下方は底板２１ｄによって閉塞されている。また、その内部には、後記する照明手段３０を構成する光源装置３１が設けられ、前面部２１ａには、発光ファイバー３２を横幅方向に沿ってライン状に敷設するための断面視略Ｕ字状の凹溝２１ｂが横幅方向に沿って凹設されている（図３（ａ）参照）。この凹溝２１ｂは、台輪２１の前面部２１ａの横幅方向の略全体に亙って凹設されており、換言すれば、フロアユニット１の横幅方向の略全体に亙って凹設されている。
また、台輪２１の前面部２１ａの右側には、凹溝２１ｂと連通し、後記する発光ファイバー３２が挿通される孔２１ｃが開設されている。
【００２１】
次に、前記した台輪２１に設けられた照明手段３０の具体的構成について図３に基づいて説明する。尚、バックガード１１の前面部１１ａに敷設された発光ファイバー３２Ａ及び収納キャビネット２３の内部に設けられた光源装置３１Ａを備えた照明手段３０Ａについても同様の構成であるため、括弧内に参照符合を付し、その説明を省略する。
照明手段３０は、図３（ｂ）に示すように、光源３１ａを内部に有した光源装置３１と、光源３１ａから入射された光を伝送する発光ファイバー３２と、発光ファイバー３２の一方の端部３２ｅが嵌挿され、光源装置３１に接続された接続用ハーネス３５とを有している。
【００２２】
光源装置３１内に配設された光源３１ａは、例えば、ハロゲンランプやメタルハライドランプ、キセノンランプ、発光ダイオード等で構成され、後記する制御ユニット４０が備えるＭＰＵ４１によって制御されて点灯、消灯がなされる。
尚、光源装置３１内には、上記光源３１ａからの光を、発光ファイバー３２の端部３２ｅに集光して入射させるための集光レンズ等の光学系や光源３１ａを冷却するための冷却ファン等が配設されている。また、光源３１ａからの光の色を可変するためのカラーフィルター等をさらに配設したものとしてもよい。
【００２３】
発光ファイバー３２は、一方の端部３２ｅから入射された上記光源３１ａからの光を長手方向に沿って伝送するとともに、その伝送する光を外周面から漏光させて発光する側面発光型の導光体である。
本実施形態では、発光ファイバー３２は、図３（ａ）に示すように、光透過性で表面に微細な凹凸が形成されたコア３２ａと、その外周面に形成されたクラッド３２ｂと、そのクラッド３２ｂの外周面に形成された光透過性の被覆層３２ｃと、コア３２ａとクラッド３２ｂとの間の一部に介在する光反射層３２ｄとを備え、その径は、例えば、１ｍｍ程度〜５０ｍｍ程度、好ましくは５ｍｍ程度〜２０ｍｍ程度である。
光反射層３２ｄは、断面視が略半円弧状とされ、コア３２ａの外周面の一部を長手方向に沿って全体に亙って被覆しており、図例のように、凹溝２１ｂ内に敷設された状態で、コア３２ａの背面側の一部を長手方向に沿って被覆している。
尚、このような側面発光型の発光ファイバーは、例えば、特開平１１−８４１３６号公報に開示があり、その他、特開２０００−１３７１１９号公報に開示がある発光ファイバーを適用してもよい。あるいは、後記する他の側面発光型の導光体を適用してもよい。
【００２４】
前記構成とされた発光ファイバー３２では、前記した台輪２１の前面部２１ａの凹溝２１ｂに敷設された状態で、一方の端部３２ｅから入射された光は、コア３２ａ内を長手方向に沿って伝送されるとともに、その伝送される光の一部は、コア３２ａに形成された凹凸によって散乱され、クラッド３２ｂ及び被覆層３２ｃを透過して、発光ファイバー３２の前面側外周面３２ｆから長手方向に沿って均一に漏光する。一方、背面側外周面３２ｇからは、光反射層３２ｄによって反射されて漏光しない構成とされている。
尚、発光ファイバー３２の他方の端部３２ｈ（図１参照）側には、反射ミラーを設けるようにしてもよい。
【００２５】
前記のように台輪２１の前面部２１ａに凹設された凹溝２１ｂ内には、図３（ａ）に示すように、発光ファイバー３２を収容する断面視略Ｕ字状のレール３３が嵌め込まれて固定されており、レール３３の開放側には、透光性カバー３４がレール３３と係合して、取付けられている。透光性カバー３４は、レール３３と係合した状態で、その前面が台輪２１の前面部２１ａと略面一となるよう構成されている。
透光性カバー３４は、透明樹脂等で構成する他、例えば、発光ファイバー３２，３２Ａの敷設箇所に合わせて、キッチンカウンター１０や台輪２１の色柄と同じ色柄とした透光性材料で構成してもよい。これにより、昼間等で発光していない状態では、フロアユニット１との一体性が保たれ、違和感が生じるようなことがなく、デザイン性に優れたものとなる。
【００２６】
次に前記構成とされたフロアユニット１における照明手段３０の制御について図４に基づいて説明する。
制御ユニット４０は、光源装置３１や各部を制御する制御手段を構成するＭＰＵ４１と、操作スイッチ等からなる操作手段４２と、後記する照度の閾値や制御プログラムを格納するメモリ等からなる記憶手段４３と、周囲の照度を検知する照度検知センサ４４と、人の在、不在を検知する人体検知センサ４５とを備えている。
尚、制御ユニット４０は、フロアユニット１の適所に設けられている。
【００２７】
照度検知センサ４４は、例えば、フォトダイオードや太陽電池等の光電変換素子等からなり、周囲の明るさに応じた信号をＭＰＵ４１に向けて出力する。
人体検知センサ４５は、例えば、人体から放射される熱線を検出する焦電型の熱線センサ等からなり、人体から放射された熱線が基準値を上回るとＭＰＵ４１に向けて人体検出信号を出力する。
【００２８】
ＭＰＵ４１は、予め設定され記憶手段４３に格納された照度の閾値と、照度検知センサ４４からの信号の値とを比較して、閾値以下、すなわち夜間等で周囲が十分に暗いと判断すると、人体検知センサ４５からの人体検出信号を受けるまで待機する。その状態で、人体検知センサ４５からの人体検出信号を受信すると、光源装置３１を駆動して光源３１ａを点灯させる。この光源３１ａの点灯によって、前記した発光ファイバー３２が発光する。
尚、操作手段４２は、光源３１ａを強制的に点灯、消灯するためのスイッチである。また、前記のように自動点灯された光源３１ａの点灯時間は、ＭＰＵ４１が備えるタイマ４１ａによって計時して所定時間のみ点灯させるようにしてもよい。これによれば、自動点灯のみならず自動消灯がなされる。
【００２９】
以上のように本実施形態に係るフロアユニット１によれば、バックガード１１の前面部１１ａの横幅方向に沿ってライン状に敷設された発光ファイバー３２Ａ及び台輪２１の前面部２１ａの横幅方向に沿ってライン状に敷設された発光ファイバー３２によって、フロアユニット１の横幅方向に沿って照明することができる。
すなわち、本実施形態では、バックガード１１の前面部１１ａに敷設された発光ファイバー３２Ａによって、シンク１３廻りが照明され、後記するように夜間等に水を飲むためにシンク１３を利用する際に、便利である。
また、台輪２１の前面部２１ａに敷設された発光ファイバー３２によって、フロアユニット１の横幅方向の全体に亙って足元が照明されるので、後記するように夜間等にキッチンを利用する際に、フロアユニット１の位置が明確に認識できるとともに、フロアユニット１の手前の床に何らかの物体がある場合にも躓くことがない。
【００３０】
また、前記のような発光ファイバー３２，３２Ａによれば、横幅方向に沿って敷設される発光ファイバー３２，３２Ａ自体のメンテナンスは、殆ど必要とならず、光源３１ａ，３１Ａａを交換等すれば良いため、前記各特許文献に記載のような長尺の蛍光灯等に比べて取り扱いが容易であり、メンテナンス性が向上する。
さらに、光源装置３１のメンテナンスや光源３１ａの交換は、下段引出し２３ｅを引き抜いて、メンテナンス用扉２３ｇを開けて容易に行うことができ、また、光源装置３１Ａのメンテナンスや光源３１Ａａの交換は、上段引出し２３ｅを引き抜いて、容易に行うことができる。
【００３１】
さらにまた、前記したように発光ファイバー３２，３２Ａは、小径であり、また、そのもの自身の発熱量が、前記した蛍光灯や白熱球等と比べて小さいので、透光性カバー３４を近接して設けることができ、発光部となる発光ファイバー３２，３２Ａの設置スペースを小さくできる。よって、省スペース化が図れる。
また、このような発光ファイバー３２，３２Ａは、特に、耐水性に優れているので、水廻りにも設置でき、よって、前記したようにフロアユニット１の種々の箇所に敷設することができる。
【００３２】
また、このような発光ファイバー３２，３２Ａは、光源３１ａ，３１Ａａからの光を伝送しながら外周面から漏光させることで発光するので、キッチンの使用時に手元を照らす主照明（キッチンルームの室内灯や、ウォールユニット、壁などに付設された流し元灯など）に比べて、照度が低く、少なくともフロアユニット１の存在を認識させる程度で、キッチンを水を飲むため等に利用できる程度の照度が低い照明となる。これにより、例えば、夜間の就寝中、途中で目覚めて、キッチンを一時的に利用するような際には、主照明を点灯させずに、補助照明として発光ファイバー３２，３２Ａを使用でき、目に強い刺激を与えることがない。すなわち、従来のキッチンルームの天井に設けられた照明や、ウォールユニットや壁などに配設された流し元灯、前記各特許文献等に記載の照明を点灯させると、そもそも手元を照明するためのものであるため、その明るさによって目が冴えてしまい、再度就寝する際に眠気が殺がれ、寝付けなくなる場合があるが、本実施形態によれば、発光ファイバー３２，３２Ａからの光は、上記のように比較的照度が低いので、目に強い刺激を与えることなく、キッチンを利用後も寝付きやすくなり、再度の就寝を妨害するようなことも防止できる。
尚、発光ファイバー３２，３２Ａから照射される光の照度をさらに低くするために、例えば、光源３１ａ，３１Ａａを調光することで行うようにしたり、発光ファイバー３２，３２Ａ自体の外周面からの漏光量を調節することで行うようにしたり、透光性カバー３４，３４Ａの透光量を調節することで行うようにしたりしてもよい。
【００３３】
さらに、本実施形態では、発光ファイバー３２，３２Ａを、敷設された状態で前面側周面３２ｆ，３２Ａｆからのみ漏光する構成としているので、一方の端部３２ｅから入射された光を効率良く長手方向に沿って伝送できるとともに、前面側周面３２ｆ，３２Ａｆからの漏光による発光を効率良く行える。これにより外周面の全周から漏光させて発光するものと比べて、光源３１ａ，３１Ａａを低出力のものとしても前面側周面３２ｆ，３２Ａｆから十分な発光量が得られるので、省電力化が図れる。
さらにまた、本実施形態では、光源３１ａ，３１Ａａを、それぞれ台輪２１内、収納キャビネット２３内に設けているので、光源を外部に設置する場合と比べて、すっきりとしたフロアユニット１となり、デザイン性に優れたものとなる。
【００３４】
また、本実施形態では、周囲の照度を検知する照度検知センサ４４と、人の在、不在を検知する人体検知センサ４５とを備え、照度検知センサ４４が検知した周囲の照度が予め定められた閾値以下で、かつ、人体検知センサ４５が人の在を検知したときに、光源３１ａ，３１Ａａを点灯させて発光ファイバー３２，３２Ａを発光させるようにしているので、例えば、キッチンルームが暗い場合や夜間等にキッチンを利用する際に、使用者がフロアユニット１に近づくと、自動で発光ファイバー３２，３２Ａが発光するので、スイッチ等を手探りで探す必要が無く、快適に使用できるものとなる。
【００３５】
尚、側面発光型の発光ファイバーとして、本実施形態では、１本の発光ファイバーをそれぞれ前記した箇所に敷設する構成を例示したが、これに限られず、ミクロン単位の微細径とされたファイバーを複数本束ねて、透明チューブ等で被覆して、前記したレール３３に収容するようにしてもよい。また、側面から発光させる態様も前記した構成に限らず、例えば、微細径とされたファイバーを複数本束ねる際に、各々のファイバーを屈曲させてクラッドとコアとの界面における伝送する光の全反射がなされないようにして外周面から漏光させるようにしたり、クラッドの一部を損傷させることで、外周面から漏光させたり、コア内に光散乱粒子を分散させることでコア内を伝送される光が散乱することにより外周面から漏光させたりするような他の公知の側面発光型の発光ファイバーを適用してもよい。
【００３６】
また、本実施形態では、各発光ファイバー３２，３２Ａのそれぞれの一方の端部３２ｅ，３２Ａｅに光源３１ａ，３１Ａａからの光を入射する態様としているが、左方側の収納キャビネット２３内、台輪２１の左方側内部に、別途それぞれ光源装置を設け、それぞれの発光ファイバー３２，３２Ａの他方の端部３２ｈ，３２Ａｈを、それら光源装置に接続して、両方の端部へそれぞれの光源からの光を入射させるようにしてもよい。
さらに、フロアユニット１の表面側に露出しない発光ファイバー３２，３２Ａの部位は、外周面から漏光しない伝送用のファイバーとしてもよい。
【００３７】
さらにまた、本実施形態では、各発光ファイバー３２，３２Ａは、それぞれ敷設された箇所で、一本のライン状の発光部を構成しているが、それぞれの箇所に複数本を平行にライン状に敷設するようにしてもよい。
また、本実施形態では、前記のようにライン状に敷設された長手方向の全体に亙って、それぞれの前面側外周面３２ｆ，３２Ａｆから漏光させて均一に発光する態様を例示したが、長手方向に沿って点線状に発光するように構成してもよい。これによれば、インテリア照明として趣向に富むものとできる。このように点線状に発光させる場合は、前記した側面から発光させる態様に応じて、漏光する箇所と、漏光しない箇所を調整したり、前面側外周面３２ｆ，３２Ａｆや透光性カバー３４の裏面に、点線状に発光するように光を透過させないフィルム等を貼着したりしてもよい。
【００３８】
また、本実施形態では、バックガード１１の前面部１１ａと、台輪２１の前面部２１ａとのそれぞれに、発光ファイバー３２，３２Ａを敷設する態様を例示したが、いずれか一方のみに敷設するようにしてもよい。
さらに、照度検知センサ４４及び人体検知センサ４５を設けて、自動点灯する態様を例示したが、それらを設けず、スイッチ等によって手動で点灯、消灯を行うようにしてもよい。
【００３９】
次に、本発明に係る他の実施の形態について、図面を参照しながら説明する。
図５は、第２実施形態に係るフロアユニットを示す概略正面図、図６は、図５におけるＸ１−Ｘ１線矢視概略断面図である。
尚、第１実施形態との相違点は、主に照明手段の構成であり、同様の構成については、同一符合を付し、説明を省略する。
また、照明手段の具体的構成について、図３に基づいて説明した第１実施形態と同様の構成については図示及び説明を省略する。
【００４０】
本実施形態に係るフロアユニット１Ａは、図５に示すように、バックガード１１Ａ及び台輪２１Ａに発光ファイバーを敷設しておらず、キッチンカウンター１０Ａの手前側端部に垂設された前垂れ部１２Ａの前面部１２Ａａに発光ファイバー３２Ｂを敷設している。
この前垂れ部１２Ａの前面部１２Ａａには、発光ファイバー３２Ｂを横幅方向に沿ってライン状に敷設するための第１実施形態で説明した凹溝１１ｂ，２１ｂと同様の断面視略Ｕ字状の凹溝が横幅方向に沿って凹設されている（不図示、図３（ａ）参照）。この凹溝は、本実施形態では、グリル２５を上段に配した調理器キャビネット２４の手前上方に位置する前垂れ部１２Ａ以外の部位に横幅方向に沿って凹設されており、換言すれば、シンクキャビネット２２の手前上方に位置する前垂れ部１２Ａの部位を少なくとも含んで、その左右に配置された収納キャビネット２３，２３の手前上方に位置する前垂れ部１２Ａに亙って、横幅方向に沿って凹設されている。このように、グリル２５の上方に位置する前垂れ部１２Ａには、発光ファイバー３２Ｂを敷設しないようにすることで、発光ファイバー３２Ｂがグリル２５からの熱を受けて損傷するようなことを防止できる。
前記凹溝には、第１実施形態で説明したレール３３と同様のレール（不図示、図３（ａ）参照）が設けられており、該レールに発光ファイバー３２Ｂが収容され、第１実施形態で説明した透光性カバー３４と同様の透光性カバー（不図示、図３（ａ）参照）によってカバーされている。
【００４１】
また、前垂れ部１２Ａの右側（図５における紙面右方）には、前記凹溝と連通し、発光ファイバー３２Ｂが挿通される孔１２Ａｃが開設されている（図６参照）。
図６に示すように、本実施形態では、光源３１Ｂａを有した光源装置３１Ｂは、収納キャビネット２３の天板２３ｂの右側前方の裏面に固定されて設けられている。
このような照明手段３０Ｂは、前記第１実施形態の照明手段３０，３０Ａと同様、制御ユニット４０によって、その制御がなされる。
以上のように、本実施形態によれば、前垂れ部１２Ａの前面部１２Ａａに発光ファイバー３２Ｂを敷設して発光させることで、フロアユニット１Ａの手前側部位を照明でき、第１実施形態と同様、夜間等にキッチンを利用する際にも便利である。
尚、前記第１実施形態で説明した照明手段３０，３０Ａのうち少なくともいずれか一方を本実施形態に係るフロアユニット１Ａに更に備えるようにしてもよい。
また、その際、第１実施形態の光源装置３１Ａを、本実施形態に係る発光ファイバー３２Ｂの光源装置として兼用するようにして、光源装置３１Ｂを備えない構成としてもよい。
【００４２】
次に、本発明に係る更に他の実施の形態について、図面を参照しながら説明する。
図７は、第３実施形態に係るフロアユニットを示す概略平面図である。
尚、第１実施形態との相違点は、主に照明手段の構成であり、同様の構成については、同一符合を付し、説明を省略する。
また、照明手段の具体的構成について、図３に基づいて説明した第１実施形態と同様の構成については図示及び説明を省略する。
【００４３】
前記した第１実施形態及び第２実施形態では、フロアユニット１，１Ａの前面側に露出する表面部位の一部にそれぞれ発光ファイバー３２，３２Ａ，３２Ｂを敷設した例を示したが、本実施形態では、フロアユニット１Ｂの上面側に露出する表面部位の一部に発光ファイバー３２Ｃを横幅方向に沿ってライン状に敷設した例を示す。
すなわち、本実施形態に係るフロアユニット１Ｂは、図７に示すように、キッチンカウンター１０Ｂの上面部１０Ｂａの後方部、すなわち、バックガード１１Ａとシンク１３との間の上面部１０Ｂａに、発光ファイバー３２Ｃを横幅方向に沿ってライン状に敷設するための第１実施形態で説明した凹溝１１ｂ，２１ｂと同様の断面視略Ｕ字状の凹溝が横幅方向に沿って凹設されている（不図示、図３（ａ）参照）。この凹溝は、本実施形態では、コンロ１５の近傍には凹設しておらず、換言すれば、シンク１３の後方部の上面部１０Ｂａに横幅方向の全体に亙って少なくとも凹設するとともに、その左右の収納キャビネット２３，２３の上方に位置する作業スペースの後方部の上面部１０Ｂａに亙って横幅方向に沿って凹設されている。
【００４４】
前記凹溝には、第１実施形態で説明したレール３３と同様のレール（不図示、図３（ａ）参照）が設けられており、該レールに発光ファイバー３２Ｃが収容され、第１実施形態で説明した透光性カバー３４と同様の透光性カバー（不図示、図３（ａ）参照）によってカバーされている。
また、キッチンカウンター１０Ｂ及び収納キャビネット２３の天板２３ｂの適所には、前記第１実施形態と同様、前記凹溝と連通し、発光ファイバー３２Ｃが挿通される孔が開設されている。尚、光源装置３１Ｃについても前記第１実施形態で説明した光源装置３１Ａと同様、収納キャビネット２３の背板２３ｄに固定されている（不図示の箇所については、図２参照）。
このような照明手段３０Ｃは、前記第１実施形態の照明手段３０，３０Ａと同様、制御ユニット４０によって、その制御がなされる。
以上のように、本実施形態によれば、キッチンカウンター１０Ｂの後方よりの上面部１０Ｂａに発光ファイバー３２Ｃを敷設して発光させることで、フロアユニット１Ａの後方部位を照明でき、第１実施形態と同様、夜間等にキッチンを利用する際にも便利である。
尚、前記第１実施形態及び第２実施形態で説明した照明手段３０，３０Ａ，３０Ｂのうち少なくともいずれか一つを本実施形態に係るフロアユニット１Ｂに更に備えるようにしてもよい。
また、その際、第１実施形態の光源装置３１Ａを、本実施形態に係る発光ファイバー３２Ｃの光源装置として兼用するようにして、光源装置３１Ｃを備えない構成としてもよい。
【００４５】
尚、前記した各実施形態で説明した各発光ファイバーの敷設箇所は、一例に過ぎず、その他、各フロアユニットにおける前面側、上面側の少なくともいずれか一方にて露出する表面部位の一部に、横幅方向に沿ってライン状に敷設するようにすればよい。例えば、各キャビネットの引出しと引出しとの間に横幅方向に沿って露出している幕板部材に、発光ファイバーを、その横幅方向に沿って敷設するようにしてもよい。また、バックガードの上面部や、キッチンカウンターの上面部の手前側に横幅方向に沿って敷設するようにしてもよい。
また、前記した各実施形態に係るフロアユニット１，１Ａ，１Ｂは、横幅方向に沿って真っ直ぐに配置されたいわゆるＩ型のフロアユニットを例示しているが、コーナーに沿ってＬ字状に配置されるいわゆるＬ型のフロアユニットにも本発明の適用が可能である。
【図面の簡単な説明】
【００４６】
【図１】本発明に係るフロアユニットの一実施形態を示す概略正面図である。
【図２】図１におけるＸ−Ｘ線矢視概略断面図である。
【図３】（ａ）は、図１におけるＹ−Ｙ線矢視概略拡大断面図、（ｂ）は、同実施形態に係るフロアユニットが備える照明手段を模式的に示す概略斜視図である。
【図４】同実施形態に係るフロアユニットの内部構成を示す要部ブロック図である。
【図５】本発明に係るフロアユニットの他の実施形態を示す概略正面図である。
【図６】図５におけるＸ１−Ｘ１線矢視概略断面図である。
【図７】本発明に係るフロアユニットの更に他の実施形態を示す概略平面図である。
【符号の説明】
【００４７】
１，１Ａ，１Ｂ                        フロアユニット
１０，１０Ａ，１０Ｂ                  キッチンカウンター
１１，１１Ａ                          バックガード
１１ａ                                バックガードの前面部
１２，１２Ａ                          前垂れ部
１２Ａａ                              前垂れ部の前面部
２１，２１Ａ                          台輪
２１ａ                                台輪の前面部
３１ａ，３１Ａａ，３１Ｂａ，３１Ｃａ  光源
３２，３２Ａ，３２Ｂ，３２Ｃ          発光ファイバー（導光体）
３２ｅ，３２Ａｅ                      発光ファイバーの一方の端部
３２ｆ，３２Ａｆ                      発光ファイバーの前面側外周面（外周面）
４４                                  照度検知センサ
４５                                  人体検知センサ
【図１】
0005205023.tif 000002
【図２】
0005205023.tif 000003
【図３】
0005205023.tif 000004
【図４】
0005205023.tif 000005
【図５】
0005205023.tif 000006
【図６】
0005205023.tif 000007
【図７】
0005205023.tif 000008